(57)【要約】【課題】設備の増設等を必要とすることなく、燃焼場を均一に制御でき、サブミクロンオーダーの均一な粒子が製造可能な無機質球状化粒子製造用バーナ及び無機質球状化粒子の製造方法を提供する。【解決手段】燃焼室２の底部２１に開口し、底部２１から、バーナ１の中心軸Ｊに配された原料供給管３を通じて燃焼室２に燃料を含む原料流体Ｇ１を噴出させる原料流体噴出孔３１と、燃焼室２の側壁２２に、原料流体噴出孔３１を取り囲むように複数で設けられ、中心軸Ｊに対して垂直方向の面内に旋回流を形成させながら第１支燃性ガスＧ２を噴出するように開口した第１支燃性ガス噴出孔４１と、燃焼室２の側壁２２における第１支燃性ガス噴出孔４１よりも先端１Ａ側に、原料流体噴出孔３１及び複数の第１支燃性ガス噴出孔４１を取り囲むように複数で設けられ、中心軸Ｊに沿った方向で第２支燃性ガスＧ３を噴出するように開口した第２支燃性ガス噴出孔５１と、を有する。【選択図】図２
2019020044.tif 000002
【特許請求の範囲】
【請求項１】
火炎形成方向における先端側が拡径するように開口した有底円錐形状の燃焼室を有する無機質球状化粒子製造用バーナであって、
前記燃焼室の底部に開口するとともに、前記無機質球状化粒子製造用バーナの中心軸上に配置され、原料供給管から供給される原料粒子及び燃料を含む原料流体を前記燃焼室内に向けて噴出する原料流体噴出孔と、
前記燃焼室の側壁に、平面視で前記原料流体噴出孔を取り囲むように複数で設けられ、前記中心軸に対する直交方向の面内で旋回流を形成させながら支燃性ガスを噴出するように開口した第１支燃性ガス噴出孔と、
前記燃焼室の側壁における前記第１支燃性ガス噴出孔よりも前記先端側の位置で、平面視で前記原料流体噴出孔及び前記複数の第１支燃性ガス噴出孔を取り囲むように複数で設けられ、前記中心軸に沿った方向で支燃性ガスを噴出するように開口した第２支燃性ガス噴出孔と、
を有する無機質球状化粒子製造用バーナ。
【請求項２】
前記燃焼室の側壁が前記中心軸に対してなす角度をα、前記原料流体噴出孔から噴出する前記原料流体の前記中心軸に対する最大噴出角度をβ、前記第１支燃性ガス噴出孔の、前記中心軸に対して垂直な方向に対する、前記側壁に沿った傾斜角度をγとしたとき、前記α，β，及びγが下記（１）、（２）式で表される関係を満たす請求項１に記載の無機質球状化粒子製造用バーナ。
β−１５°≦  α  ≦  β＋１５°    ・・・・・（１）
０  ≦  γ  ≦  ｍｉｎ（α＋５°，９０°−α）  ・・・・・（２）
但し、上記（２）式における｛ｍｉｎ（α＋５°，９０°−α）｝とは、α＋５°又は９０°−αのうちの何れか小さな角度であることを示す。
【請求項３】
さらに、前記燃焼室の底部における前記原料流体噴出孔の周囲を取り囲むように設けられ、該原料流体噴出孔から噴出される前記原料流体に向けて前記支燃性ガスを供給するように開口した第３支燃性ガス噴出孔と、
前記原料供給管に接続され、前記原料流体を前記燃焼室に向けて噴霧するための噴霧ガスを供給する噴霧ガス供給管と、
を有する請求項１又は請求項２に記載の無機質球状化粒子製造用バーナ。
【請求項４】
さらに、水溶液と可燃性油とを、水滴が油中に分散したエマルジョンとなるように混合して前記原料流体とし、該原料流体を前記原料供給管へ供給するための混合供給部を有する請求項１〜請求項３の何れか一項に記載の無機質球状化粒子製造用バーナ。
【請求項５】
前記燃焼室の外側に、冷却水を流通させるための冷却水用管路を有する請求項１〜請求項４の何れか一項に記載の無機質球状化粒子製造用バーナ。
【請求項６】
請求項１〜請求項５の何れか一項に記載の無機質球状化粒子製造用バーナを用いた無機質球状化粒子の製造方法であって、
互いに不溶な水溶液と可燃性油とを混合することで、水滴が油中に分散したエマルジョン状の原料流体を調整して前記燃焼室に噴出させ、
前記燃焼室において、前記原料流体中の前記可燃性油と支燃性ガスとを燃焼させて火炎を形成し、前記原料流体中の水滴を蒸発させることで微粒子形成を行う無機質球状化粒子の製造方法。
【請求項７】
前記支燃性ガスとして、酸素又は酸素富化空気の少なくとも何れかを用いる請求項６に記載の無機質球状化粒子の製造方法。
【発明の詳細な説明】
【技術分野】
【０００１】
本発明は、無機質球状化粒子製造用バーナ及び無機質球状化粒子の製造方法に関するものである。
【背景技術】
【０００２】
従来、無機質球状化粒子を製造する方法として、例えば、無機質原料粉体を火炎中に通過させて表面を溶融し、球状化する方法が採用されている。
このような方法で無機質球状化粒子を製造する場合、製品粒子となる無機質球状化粒子の粒径は原料粉体の粒径に依存し、概ね原料粉体に近い粒径の製品粒子が製造される。
一方、上記方法では、解砕性や原料搬送の観点から、一般に数ミクロン程度以下の製品粒子を製造することは困難である。
【０００３】
そこで、原料となる金属塩を水溶液中に溶解させ、これを火炎中等の高温雰囲気に噴霧することで無機質球状化粒子を製造する方法が提案されている。これは、一般に噴霧熱分解と呼ばれる方法であり、このような方法によってサブミクロンオーダーの均一な粒子が製造可能である。
しかしながら、上記の噴霧熱分解による方法においては、噴霧液滴が高温雰囲気で凝集することにより、得られる粉末に凝集粒子が多く含まれるという欠点がある。
【０００４】
このような問題を解決するため、下記特許文献１においては、所謂エマルジョン燃焼法と呼ばれる方法を用いて酸化物を得る方法が提案されている。このエマルジョン燃焼法は、可燃性の油中に微小な水滴を分散させた油中水型エマルジョン（Ｗ／Ｏ型エマルジョン）、あるいは、可燃性の油中に粉体を懸濁させたサスペンジョンを原料として用いる方法である。このように、原料にエマルジョンを用いた場合、水滴中に予め金属塩を溶解させておくことで、原料の燃焼に伴って水が蒸発し、金属塩が酸化・析出することで無機質球状化粒子が得られる。このような方法を用いることで、凝集の少ないサブミクロンオーダーの均一な粒子が製造可能となる。
【０００５】
特許文献１に記載の方法においては、原料エマルジョンをアトマイザ等の噴霧装置によって噴霧した後、パイロットバーナ等の加熱装置を用いて着火することで微小水滴を蒸発させ、微粒子合成を行う。この際、合成される微粒子の特性を制御するためには、燃焼場を均一に制御することが重要になる。しかしながら、特許文献１に記載された方法では、燃焼場の制御は困難であるという問題がある。
【０００６】
即ち、特許文献１に記載の方法では、例えば、原料噴霧量が少なすぎる場合には、原料（油及び水滴）の蒸発抜熱が大きいために燃焼が不安定化する。また、原料噴霧量が多すぎる場合には、原料中の油の蒸発量が低下して着火性が劣化することから、燃焼が不安定化する。また、仮に、燃焼が安定した場合であっても、火炎の温度ムラが生じやすく、均一な微粒子製造が困難であるという問題があった。
【０００７】
上記のような問題を解決するため、例えば、特許文献２には、液噴霧ノズルの後段に予熱室を設け、噴霧後の原料を予熱することにより、原料噴霧量を増加させた場合においても燃焼を安定化させる方法が提案されている。
しかしながら、特許文献２に記載の方法では、原料を瞬間的に予熱するため、エマルジョンの安定性が低下し、水滴が崩壊・合一することで合成粒子にばらつきが生じる可能性が懸念される。また、原料供給量を多くするほど大きな予熱室が必要になることから、設備コストが増大するという問題があった。
【先行技術文献】
【特許文献】
【０００８】
【特許文献１】特開平７−８１９０５号公報
【特許文献２】特開２００２−２０１２０号公報
【発明の概要】
【発明が解決しようとする課題】
【０００９】
本発明は上記問題に鑑みてなされたものであり、製造設備の増設やそれに伴うコストアップを招くことなく、燃焼場を均一に制御でき、サブミクロンオーダーの均一な粒子が製造可能な無機質球状化粒子製造用バーナ及び無機質球状化粒子の製造方法を提供することを目的とする。
【課題を解決するための手段】
【００１０】
上記課題を解決するため、本発明は、以下の態様を包含する。
即ち、請求項１に係る発明は、火炎形成方向における先端側が拡径するように開口した有底円錐形状の燃焼室を有する無機質球状化粒子製造用バーナであって、前記燃焼室の底部に開口するとともに、前記無機質球状化粒子製造用バーナの中心軸上に配置され、原料供給管から供給される原料粒子及び燃料を含む原料流体を前記燃焼室内に向けて噴出する原料流体噴出孔と、前記燃焼室の側壁に、平面視で前記原料流体噴出孔を取り囲むように複数で設けられ、前記中心軸に対する直交方向の面内で旋回流を形成させながら支燃性ガスを噴出するように開口した第１支燃性ガス噴出孔と、前記燃焼室の側壁における前記第１支燃性ガス噴出孔よりも前記先端側の位置で、平面視で前記原料流体噴出孔及び前記複数の第１支燃性ガス噴出孔を取り囲むように複数で設けられ、前記中心軸に沿った方向で支燃性ガスを噴出するように開口した第２支燃性ガス噴出孔と、を有する無機質球状化粒子製造用バーナである。
【００１１】
本発明によれば、燃焼室の側壁に、旋回流を形成させながら支燃性ガスを噴出する複数の第１支燃性ガス噴出孔を有することで、原料流体中に含まれる燃料と支燃性ガスとが適切に混合されるので、良好な保炎状態を保持することが可能になる。さらに、第１支燃性ガス噴出孔よりも先端側に、中心軸に沿った方向で支燃性ガスを噴出する複数の第２支燃性ガス噴出孔を有することで、原料流体中の燃料と２方向から供給する支燃性ガスとによって燃焼室内に均一な火炎を形成し、原料粒子の表面を溶融させ、サブミクロンオーダーの均一な微粒子を効率的に合成できる。また、原料流体中の燃料及び支燃性ガスの供給量を個別に調整することで、微粒子を合成する燃焼場を均一に制御することができるので、合成される粒子の特性を任意に制御しながら無機質球状化粒子を製造することが可能になる。
【００１２】
また、請求項２に係る発明は、請求項１に記載の無機質球状化粒子製造用バーナであって、前記燃焼室の側壁が前記中心軸に対してなす角度をα、前記原料流体噴出孔から噴出する前記原料流体の前記中心軸に対する最大噴出角度をβ、前記第１支燃性ガス噴出孔の、前記中心軸に対して垂直な方向に対する、前記側壁に沿った傾斜角度をγとしたとき、前記α，β，及びγが下記（１）、（２）式で表される関係を満たす無機質球状化粒子製造用バーナである。
β−１５°≦  α  ≦  β＋１５°    ・・・・・（１）
０  ≦  γ  ≦  ｍｉｎ（α＋５°，９０°−α）  ・・・・・（２）
但し、上記（２）式における｛ｍｉｎ（α＋５°，９０°−α）｝とは、α＋５°又は９０°−αのうちの何れか小さな角度であることを示す。
【００１３】
本発明によれば、燃焼室の側壁の角度α、原料流体の最大噴出角度β、及び、第１支燃性ガス噴出孔の側壁に沿った傾斜角度γの各々が上記関係であることで、支燃性ガスによる良好な旋回流を形成させながら、原料流体中の燃料と支燃性ガスとを適切に混合でき、良好な保炎状態を確保できるので、高い製造効率で無機質球状化粒子を合成・製造できる。
【００１４】
また、請求項３に係る発明は、請求項１又は請求項２に記載の無機質球状化粒子製造用バーナであって、さらに、前記燃焼室の底部における前記原料流体噴出孔の周囲を取り囲むように設けられ、該原料流体噴出孔から噴出される前記原料流体に向けて前記支燃性ガスを供給するように開口した第３支燃性ガス噴出孔と、前記原料供給管に接続され、前記原料流体を前記燃焼室に向けて噴霧するための噴霧ガスを供給する噴霧ガス供給管と、を有する無機質球状化粒子製造用バーナである。
【００１５】
本発明によれば、さらに、第３支燃性ガス噴出孔を有することで、原料流体噴出孔の近傍において火炎をより安定的に形成することが可能となり、良好な燃焼状態を得ることができる。また、噴霧ガス供給管を有することで、原料流体の供給量を変更する場合においても、噴霧ガスの作用により、原料流体噴出孔からの噴出状態を良好に維持できる。
【００１６】
また、請求項４に係る発明は、請求項１〜請求項３の何れか一項に記載の無機質球状化粒子製造用バーナであって、さらに、水溶液と可燃性油とを、水滴が油中に分散したエマルジョンとなるように混合して前記原料流体とし、該原料流体を前記原料供給管へ供給するための混合供給部を有する無機質球状化粒子製造用バーナである。
【００１７】
本発明によれば、さらに、水溶液と可燃性油とのエマルジョンからなる原料流体を供給する混合供給部を有することで、燃焼場を均一に制御しながら、凝集の少ないサブミクロンオーダーの均一な無機質球状化粒子を製造することが可能になる。
【００１８】
また、請求項５に係る発明は、請求項１〜請求項４の何れか一項に記載の無機質球状化粒子製造用バーナであって、前記燃焼室の外側に、冷却水を流通させるための冷却水用管路を有する無機質球状化粒子製造用バーナである。
【００１９】
本発明によれば、燃焼室の外側に冷却水用管路が備えられることで、火炎による高温雰囲気や輻射熱から無機質球状化粒子製造用バーナの各構成部品を保護するとともに、燃焼室内における過渡な加熱が抑制され、燃焼場をより均一に制御しながら無機質球状化粒子を合成させることが可能になる。
【００２０】
また、請求項６に係る発明は、請求項１〜請求項５の何れか一項に記載の無機質球状化粒子製造用バーナを用いた無機質球状化粒子の製造方法であって、互いに不溶な水溶液と可燃性油とを混合することで、水滴が油中に分散したエマルジョン状の原料流体を調整して前記燃焼室に噴出させ、前記燃焼室において、前記原料流体中の前記可燃性油と支燃性ガスとを燃焼させて火炎を形成し、前記原料流体中の水滴を蒸発させることで微粒子形成を行う無機質球状化粒子の製造方法である。
【００２１】
本発明によれば、上記構成を有した本発明に係る無機質球状化粒子製造用バーナを用いて、エマルジョン状の原料流体を燃焼室に噴出し、原料流体中の可燃性油と支燃性ガスとを燃焼させて火炎を形成して原料流体中の水滴を蒸発させることで微粒子形成を行い、無機質球状化粒子を製造する方法なので、上記同様、良好な保炎状態が保持され、燃焼室内に均一な火炎を形成し、原料粒子からサブミクロンオーダーの均一な微粒子を効率的に合成できる。また、微粒子を合成する燃焼場を均一に制御することができ、合成される粒子の特性を任意に制御しながら、無機質球状化粒子を製造することが可能になる。
【００２２】
また、請求項７に係る発明は、請求項６に記載の無機質球状化粒子の製造方法であって、前記支燃性ガスとして、酸素又は酸素富化空気の少なくとも何れかを用いる無機質球状化粒子の製造方法である。
【００２３】
本発明によれば、支燃性ガスとして、酸素又は酸素富化空気の少なくとも何れかを用いることで、良好で安定した火炎を形成できるので、サブミクロンオーダーの均一な無機質球状化粒子をより効率的に製造することが可能になる。
【発明の効果】
【００２４】
本発明に係る無機質球状化粒子製造用バーナによれば、燃焼室の側壁に、旋回流を形成させながら支燃性ガスを噴出する複数の第１支燃性ガス噴出孔と、第１支燃性ガス噴出孔よりも先端側に、中心軸に沿った方向で支燃性ガスを噴出する複数の第２支燃性ガス噴出孔とを有した構成を採用している。これにより、原料流体中に含まれる燃料と支燃性ガスとが適切に混合されるので、良好な保炎状態を保持することができ、さらに、原料流体中の燃料と２方向から供給する支燃性ガスとによって燃焼室内に均一な火炎が形成されるので、原料粒子からサブミクロンオーダーの均一な微粒子を効率的に合成できる。また、原料流体中の燃料及び支燃性ガスの供給量を個別に調整することで、微粒子を合成する燃焼場を均一に制御することができるので、合成される無機質球状化粒子の特性を任意に制御することが可能になる。
従って、製造設備の増設やそれに伴うコストアップを招くことなく、サブミクロンオーダーの均一な無機質球状化粒子を製造することが可能になる。
【００２５】
また、本発明に係る無機質球状化粒子の製造方法によれば、上記構成を有した本発明に係る無機質球状化粒子製造用バーナを用いて、エマルジョン状の原料流体を燃焼室に噴出し、原料流体中の可燃性油と支燃性ガスとを燃焼させて火炎を形成して原料流体中の水滴を蒸発させることで微粒子形成を行い、無機質球状化粒子を製造する方法を採用している。これにより、上記同様、良好な保炎状態を保持して、燃焼室内に均一な火炎を形成し、原料粒子からサブミクロンオーダーの均一な微粒子を効率的に合成できる。また、微粒子を合成する燃焼場を均一に制御できるので、合成される無機質球状化粒子の特性を任意に制御することが可能になる。
従って、製造設備の増設等に伴うコストアップを招くことなく、サブミクロンオーダーの均一な無機質球状化粒子を製造することが可能になる。
【図面の簡単な説明】
【００２６】
【図１】本発明の一実施形態である無機質球状化粒子製造用バーナを模式的に説明する図であり、火炎の噴出側から中心軸に沿ってバーナを見た平面図である。
【図２】本発明の一実施形態である無機質球状化粒子製造用バーナを模式的に説明する図であり、図１に示したバーナのＡ−Ａ断面図である。
【図３】本発明の他の実施形態である無機質球状化粒子製造用バーナを模式的に説明する図であり、火炎の噴出側から中心軸に沿ってバーナを見た平面図である。
【図４】本発明の他の実施形態である無機質球状化粒子製造用バーナを模式的に説明する図であり、図３に示したバーナのＢ−Ｂ断面図である。
【図５】本発明の一実施形態である無機質球状化粒子製造用バーナを模式的に説明する図であり、有底円錐形状とされた燃焼室内における、側壁が中心軸に対してなす角度α、及び、中心軸に対する原料流体の最大噴出角度βを示す概略図である。
【図６】本発明の一実施形態である無機質球状化粒子製造用バーナを模式的に説明する図であり、有底円錐形状とされた燃焼室内における、第１支燃性ガス噴出孔の、中心軸に対して垂直な方向に対する傾斜角度γを示す概略図である。
【図７】本発明の一実施形態である無機質球状化粒子製造用バーナ及び無機質球状化粒子の製造方法の実施例について説明する図であり、有底円錐形状とされた燃焼室内における、側壁が中心軸に対してなす角度αを変化させ、且つ、中心軸に対する原料流体の最大噴出角度βを一定とした場合の、角度αと製造効率（％）との関係を示すグラフである。
【発明を実施するための形態】
【００２７】
以下、本発明を適用した一実施形態である無機質球状化粒子製造用バーナ及び無機質球状化粒子の製造方法について、図１〜図６を適宜参照しながら説明する。なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料等は一例であって、本発明はそれらに限定されるものではなく、その要旨を変更しない範囲で適宜変更して実施することが可能である。
【００２８】
＜第１の実施形態＞
以下、本発明の第１の実施形態である無機質球状化粒子製造用バーナ１（以下、単にバーナ１と略称する場合がある）及び無機質球状化粒子の製造方法について説明する。
【００２９】
［無機質球状化粒子製造用バーナ］
図１は、本実施形態のバーナ１を、図示略の火炎の噴出側から中心軸Ｊに沿って見た平面図であり、図２は、図１中に示したＡ−Ａ断面図である。なお、図２においては、所定の方向に延在するバーナ１全体を図示することは困難なので、バーナ１の先端部分のみを図示している。また、図２においては、説明の都合上、バーナ１の先端部分のみを断面図として図示している。
【００３０】
図１及び図２に示すように、本実施形態のバーナ１は、火炎形成方向における先端１Ａ側が拡径するように開口した有底円錐形状の燃焼室２を有する、無機質球状化粒子の製造に用いられるバーナである。本実施形態のバーナ１は、燃焼室２内において、原料流体Ｇ１に含まれる粒子原料が火炎による高温雰囲気中に曝され、原料流体Ｇ１中の水滴を蒸発させることで、サブミクロンオーダーの微粒子からなる無機質球状化粒子を製造するものである。
【００３１】
また、図２の断面図に示すように、バーナ１は、中心軸Ｊ上に、原料流体Ｇ１を供給するための原料流体供給管３が配置され、その外側に支燃性ガス（第１支燃性ガス）Ｇ２を供給するための第１支燃性ガス供給管４が配置されている。さらに、その外側には、支燃性ガス（第２支燃性ガス）を供給するための第２支燃性ガス供給管５が配置されている。
【００３２】
そして、これら原料流体供給管３、第１支燃性ガス供給管４、及び第２支燃性ガス供給管５は、先端１Ａ側に向かって拡径した燃焼室２内に、それぞれ、原料流体噴出孔３１、第１支燃性ガス供給孔４１、第２支燃性ガス供給孔５１として開口している。即ち、本実施形態のバーナ１は、燃焼室２の底部２１に開口し、原料供給管３から供給される原料流体Ｇ１を燃焼室２内に向けて噴出する原料流体噴出孔３１と、燃焼室２の側壁２２に複数で設けられ、旋回流を形成させながら支燃性ガス（第１支燃性ガス）Ｇ２を噴出するように開口した第１支燃性ガス噴出孔４１と、燃焼室２の側壁２２における第１支燃性ガス噴出孔４１よりも先端１Ａ側の位置で複数設けられ、中心軸Ｊに沿った方向で支燃性ガス（第２支燃性ガス）Ｇ３を噴出するように開口した第２支燃性ガス噴出孔５１と、を有して概略構成される。
【００３３】
燃焼室２は、図１及び図２に示すように、先端１Ａ側が拡径するように開口し、有底円錐形状に形成された凹部であり、図２中においては縦断面で略台形状とされる。本実施形態のバーナ１は、上述したように、この燃焼室２内において、原料流体Ｇ１中の水滴を火炎による高温雰囲気中で蒸発させることで、原料粒子からサブミクロンオーダーの微粒子を合成させる。
【００３４】
なお、燃焼室２は、基端側の底部２１から先端（符号１Ａ参照）側までの側壁２２の勾配角度αを一定としても良いが、図２に示すように、バーナ１の１Ａ側の一部が円筒形状とされていることが、安定した保炎確保の観点から、より好ましい。
【００３５】
原料供給管３は、バーナ１の中心軸Ｊ上に配置される。
そして、原料供給管３の開口部である原料流体噴出孔３１は、燃焼室２の底部２１に開口するとともに中心軸Ｊ上に配置され、原料供給管３から供給される原料粒子及び燃料を含む原料流体Ｇ１を、燃焼室２内に向けて噴出するように開口して設けられる。
【００３６】
なお、本実施形態においては、図示例のように、原料流体噴出孔３１を単孔の構成で説明しているが、これには限定されない。例えば、原料供給管３に対して複数の原料流体噴出孔３１が連通され、複数の原料流体噴出孔３１から原料流体Ｇ１が噴出される構成を採用しても構わない。
【００３７】
第１支燃性ガス供給管４は、中心軸Ｊ上に配置された原料供給管３の外側に、この原料供給管３を取り囲むように複数で平行に配置される。
そして、第１支燃性ガス供給管４の開口部である第１支燃性ガス噴出孔４１は、第１支燃性ガス供給管４の配置位置に対応して、燃焼室２の側壁２２に、平面視（図１参照）で原料流体噴出孔３１を取り囲むように複数で設けられ、図示例では計６箇所で、それぞれ円周上に均等に配置するように設けられている。また、第１支燃性ガス噴出孔４１は、燃焼室２の側壁２２において、中心軸Ｊに対する直交方向の面内で旋回流を形成させながら支燃性ガス（第１支燃性ガス）Ｇ２を噴出するように開口している。即ち、第１支燃性ガス噴出孔４１は、図示例のように、燃焼室２の側壁２２において、中心軸Ｊに対して直交する方向で開口するように設けられている。
【００３８】
なお、第１支燃性ガス噴出孔４１は、燃焼室２の側壁部２２において、中心軸Ｊに対して旋回流を形成するような位置に開口していれば、原料流体噴出孔から３１の距離や孔数、形状等は特に限定されず、任意に設定可能である。
【００３９】
第２支燃性ガス供給管５は、上記のように、複数の第１支燃性ガス供給管４の外側に、これら第１支燃性ガス供給管４を取り囲むように複数で平行に配置される。
そして、第２支燃性ガス供給管５の開口部である第２支燃性ガス噴出孔５１は、第２支燃性ガス供給管５の配置位置に対応して、燃焼室２の側壁２２における第１支燃性ガス噴出孔４１よりも先端１Ａ側の位置で、平面視で原料流体噴出孔３１及び複数の第１支燃性ガス噴出孔４１を取り囲むように複数で設けられ、図示例では計１６箇所で、それぞれ円周上に均等に配置するように設けられている。また、第２支燃性ガス噴出孔５１は、燃焼室２の側壁２２において、中心軸Ｊに沿った方向で支燃性ガス（第２支燃性ガス）Ｇ３を噴出するように開口している。
【００４０】
なお、第２支燃性ガス噴出孔５１についても、上述した第１支燃性ガス噴出孔４１の場合と同様、燃焼室２の側壁部２２において、第１支燃性ガス噴出孔４１よりも先端１Ａ側であって、中心軸Ｊに沿った方向に第２支燃性ガスＧ３を噴出するような位置で開口していれば、原料流体噴出孔３１からの距離や孔数、形状等は特に限定されず、任意に設定可能である。
【００４１】
また、図２に示す例のバーナ１には、燃焼室２の外側に、冷却水Ｗを流通させるための冷却水用管路６が備えられている。この冷却水用管路６は、先端６１が燃焼室２と隣接するように配置されている。また、図示例の冷却水用管路６は、２本の流路６ａ，６ｂが、先端６１で折り返すように連通された構成とされており、バーナ１の後端１Ｂ側から２本の流路６ａ，６ｂの何れか一方に供給された冷却水Ｗが、先端６１で折り返して、他方の流路から後端１Ｂ側に還流されるように構成されている。
【００４２】
冷却水用管路６の配置数及び位置としては、特に限定されず、第１支燃性ガス供給管４や第２支燃性ガス供給管５と同様、複数で配置されていても構わないが、例えば、バーナ１の平面視における全周に渡って円環状に形成されていても構わない。
【００４３】
本実施形態においては、燃焼室２の外側に冷却水用管路６が備えられることで、火炎による高温雰囲気や輻射熱からバーナ１の各構成部品を保護するとともに、燃焼室２内における過渡な加熱が抑制され、燃焼場をより均一に制御しながら無機質球状化粒子を合成させることが可能になる。
【００４４】
また、本実施形態のバーナ１においては、図５及び図６中に示した、燃焼室２の側壁２２が中心軸Ｊに対してなす角度α、原料流体噴出孔３１から噴出する原料流体Ｇ１の中心軸Ｊに対する最大噴出角度β、及び、第１支燃性ガス噴出孔４１の、中心軸Ｊに対して垂直な方向に対する、前記側壁に沿った傾斜角度γの、各々の関係が下記（１）、（２）式で表される関係を満たすことが好ましい。
β−１５°≦  α  ≦  β＋１５°    ・・・・・（１）
０  ≦  γ  ≦  ｍｉｎ（α＋５°，９０°−α）  ・・・・・（２）
但し、上記（２）式における｛ｍｉｎ（α＋５°，９０°−α）｝とは、α＋５°又は９０°−αのうちの何れか小さな角度であることを示す。
【００４５】
ここで、上記（１）式における角度α及びβの規定は、燃焼室２の側壁２２の勾配角度αが、燃料の最大噴出角度βに対し、一定範囲に収まることが好ましいことを示す。なお、燃料の最大噴出角度βは、原料流体噴出孔３１におけるノズル構造を変更することで調整することが可能である。
【００４６】
上記（１）式において、角度αがβ−１５°よりも小さい場合、燃焼室２に噴出させた原料流体Ｇ１が、燃焼室２の側壁２２に付着してしまい、製造効率が低下する場合がある。また、上記（１）式において、角度αがβ＋１５°を超えると、原料流体Ｇ１と、旋回流を形成する第１支燃性ガスＧ２との相互作用が弱まり、原料流体Ｇ１が第１支燃性ガス噴出孔４１から吹き飛びやすくなるので、安定した保炎が困難になる。
【００４７】
また、上記（２）式における角度α及びγの規定は、第１支燃性ガスＧ２による適切な旋回流を形成するために、第１支燃性ガスＧ２の噴出方向を規定するものである。
角度γを上記（２）式で規定される範囲内とすることで、燃焼室２内において第１支燃性ガスＧ２が良好な旋回流を形成し、原料流体Ｇ１中に含まれる燃料と第１支燃性ガスＧ２とが適切に混合されるので、良好な保炎状態を保持することが可能となる。
【００４８】
上記（２）式において、角度γが０未満だと、第１支燃性ガスＧ２が十分に旋回流を形成できない。その結果、原料流体Ｇ１が原料流体噴出孔３１から吹き飛びやすくなり、安定した保炎が困難になる。
また、上記（２）式に示すように、傾斜角度γの上限として、α＋５°及び９０°−αのうち、何れか小さい角度を上限とすることが好ましい。これは、燃焼室２の側壁２２の勾配角度αが大きくなってゆくと、α＋５°が大きくなりすぎ、原料流体Ｇ１が原料流体噴出孔３１からさらに吹き飛びやすくなるためである。ここで、側壁２２の開き角度が９０°、即ち角度α＝４５°である場合には、傾斜角度γは最大４５°まで可能である。
【００４９】
本実施形態においては、上記各角度α、β、γを上記（１）、（２）式で表される関係を満たすように構成することにより、第１支燃性ガスＧ２による良好な旋回流を形成させながら、原料流体Ｇ１中の燃料と支燃性ガスとを適切に混合でき、良好な保炎状態を確保できる。従って、高い製造効率で無機質球状化粒子を合成・製造できる。
【００５０】
本実施形態のバーナ１によれば、上記構成を備えることにより、原料流体Ｇ１中の燃料と、２方向から供給する支燃性ガス（第１支燃性ガスＧ２及び第２支燃性ガスＧ３）とによって燃焼室２内に均一な火炎を形成し、原料粒子の表面を溶融させることで、サブミクロンオーダーの均一な微粒子を効率的に合成できる。また、原料流体Ｇ１中の燃料及び第１支燃性ガスＧ２及び第２支燃性ガスＧ３の供給量を個別に調整することで、微粒子を合成する燃焼場を均一に制御することができるので、合成される粒子の特性を任意に制御しながら無機質球状化粒子を製造することが可能になる。
【００５１】
なお、本実施形態のバーナ１においては、上記構成に加え、さらに、互いに不溶な水溶液と可燃性油とを、水滴が油中に分散したエマルジョン状になるように混合して原料流体Ｇ１とし、この原料流体Ｇ１を原料供給管３へ供給するための、図示略の混合供給部を有する構成を採用してもよい。本実施形態のバーナ１は、上記の混合供給部を有することで、原料流体Ｇ１として、例えば、無機質球状化粒子を形成するための金属塩を含む水溶液を、燃料となる灯油や軽油等に分散させ、油中水型エマルジョン(Ｗ／Ｏ型エマルジョン)として用いることができる。
【００５２】
混合供給部の構造、種類は、特に限定されないが、分散される水滴径が５μｍ以下となるような混合器を用いることが好ましい。この水滴径が５μｍを超えると、エマルジョン中で水滴が沈降しやすくなり、原料流体Ｇ１が燃焼室２へ供給されるまでの間に水滴の分散が不均一となり、失火の可能性がある。
【００５３】
また、原料流体Ｇ１の水滴中に溶解する金属塩としては、燃焼・酸化後に酸化物が形成される金属塩を任意に用いることができる。この際、エマルジョン状の原料流体Ｇ１中の水分率は２０％以下とすることが好ましい。これは、原料流体Ｇ１中の水分率が増加するのに伴い、安定火炎の保持が困難になるためである。
【００５４】
また、原料流体Ｇ１中の燃料となる油の種類としては、特に限定されないが、可燃性であること、水に不溶であること、及び単位体積当たりの発熱量が大きいこと等の条件を満たすもの、例えば、ヘキサン、オクタン、ケロシン、又はガソリン等の炭化水素系の油が好ましい。なお、本明細書で説明する「水に不溶である」とは、金属塩水溶液とエマルジョンを形成できる程度に不溶であることを示す。
【００５５】
また、原料流体Ｇ１におけるエマルジョン状態を安定化するため、分散剤を使用することも好ましい。このような分散剤の種類としては、特に限定されないが、カチオン性界面活性剤、アニオン性界面活性剤、又はノニオン性界面活性剤等を、所望の水滴径を得ることを目的として使用可能である。
【００５６】
本実施形態のバーナ１は、さらに、水溶液と可燃性油とのエマルジョンからなる原料流体Ｇ１を供給する混合供給部を有することで、上記のような、燃焼場を均一に制御しながら、凝集の少ないサブミクロンオーダーの均一な無機質球状化粒子を製造できる効果がより顕著に得られる。
【００５７】
なお、本実施形態においては、第１支燃性ガスＧ２及び第２支燃性ガスＧ３として、同じ種類の支燃性ガスを用いてもよいが、それぞれ異なる種類の支燃性ガスを用いても構わない。また、これら支燃性ガスの種類としても、酸素、酸素富化空気等、適宜採用することができる。
【００５８】
［無機質球状化粒子の製造方法］
本実施形態の無機質球状化粒子の製造方法は、上記構成とされた本実施形態のバーナ１を用いて無機質球状化粒子を製造する方法である。
即ち、本実施形態の製造方法においては、まず、互いに不溶な水溶液と可燃性油とを混合することで、水滴が油中に分散したエマルジョン状の原料流体Ｇ１を調整して燃焼室２に噴出する。次いで、燃焼室２において原料流体Ｇ１中の可燃性油と支燃性ガス（第１支燃性ガスＧ２及び第２支燃性ガスＧ３）とを燃焼させて火炎を形成し、原料流体Ｇ１中の水滴を蒸発させることで微粒子形成を行い、無機質球状化粒子を製造する方法である。
【００５９】
上記のような方法で無機質球状化粒子を製造する装置としては、例えば、本実施形態のバーナ１に加えて、それぞれ図示を省略するが、原料粒子を供給して原料流体Ｇ１に混合するための原料フィーダ、燃料供給源、及びキャリアガス供給源、並びに、第１及び第２支燃性ガスＧ２，Ｇ３を供給するための支燃性ガス供給源を備え、さらに、各流体の流量を調整する流量制御部等を備えたものを用いることができる。
【００６０】
具体的には、本実施形態の製造方法においては、まず、上記したような組成を有する、互いに不溶な水溶液と可燃性油とを混合し、水滴が油中に分散したエマルジョン状の原料流体Ｇ１を調整する。この際、上述した図示略の混合供給部を用いて、原料流体Ｇ１を調整することができ、例えば、可燃性油は上記の燃料供給源から供給し、原料粒子は上記の原料フィーダから供給して混合することができる。また、原料粒子としては、目的とする無機質球状化粒子の種類に応じたものを用い、例えば、シリカやアルミナの他、ガラス原料粉末等を用いることができる。
【００６１】
次いで、調整された原料流体１を、バーナ１の原料供給管３に供給するとともに、第１支燃性ガス供給管４及び第２支燃性ガス供給管５に、それぞれ第１支燃性ガスＧ２及び第２支燃性ガスＧ３を供給する。この際、原料流体Ｇ１を、上記のキャリアガス供給源から供給されるキャリアガスと混合した状態で、原料供給管３に供給する。この際、各流体の供給量は、例えば、マスフローメーターや自動弁等から構成された図示略の流量制御部によって調整することができる。
【００６２】
また、第１支燃性ガスＧ２及び第２支燃性ガスＧ３としては、例えば、酸素（酸素ガス）又は酸素富化空気等を用いることができる。また、第１支燃性ガスＧ２及び第２支燃性ガスＧ３は、同種の支燃性ガスを用いてもよいが、それぞれ異なる支燃性ガスを用いても構わない。支燃性ガスとして、酸素又は酸素富化空気の少なくとも何れかを用いることで、良好で安定した火炎を形成できる。
【００６３】
その後、燃焼室２内に向けて、原料流体噴出孔３１から原料流体Ｇ１が噴出されるとともに、それぞれ複数で設けられた第１支燃性ガス供給孔４１及び第２支燃性ガス供給孔５１から、それぞれ第１支燃性ガスＧ２及び第２支燃性ガスＧ３が噴出される。これら、原料流体Ｇ１と各支燃性ガスＧ２，Ｇ３とを燃焼させることで、燃焼室２内において図示略の火炎を形成する。
【００６４】
この際、複数の第１支燃性ガス供給孔４１から噴出した第１支燃性ガスＧ２は、中心軸Ｊに対して垂直な方向の面内に旋回流を形成しながら原料流体Ｇ１と混合し、燃焼に供される。このように、第１支燃性ガスＧ２が旋回流を形成することで、原料流体Ｇ１中に含まれる燃料と第１支燃性ガスＧ２とが適切に混合されるので、良好な保炎状態を保持することが可能になる。
【００６５】
そして、火炎を形成して原料流体Ｇ１中の水滴を蒸発させ、また、原料粒子の表面を溶融させることで、所定の粒径の範囲、即ち、サブミクロンオーダーの均一な微粒子を合成し、無機質球状化粒子を製造することができる。その後、製造された無機質球状化粒子は、所定の捕集手段等によって回収することで製品粒子とする。
【００６６】
また、本実施形態の製造方法においては、さらに、得られた無機質球状化粒子を、所定の分級手段を用いて分級することで、所望の特定粒径分布を有する無機質球状化粒子を製品粒子とすることができる。
【００６７】
本実施形態の無機質球状化粒子の製造方法によれば、上記構成を有した本実施形態のバーナ１を用いて無機質球状化粒子を製造する方法なので、上記同様、燃焼室２内に均一な火炎を形成し、原料粒子からサブミクロンオーダーの均一な微粒子を効率的に合成できる。また、微粒子を合成する燃焼場を均一に制御することができ、合成される粒子の特性を任意に制御しながら、無機質球状化粒子を製造することが可能になる。
【００６８】
＜第２の実施形態＞
以下、本発明の第２の実施形態である無機質球状化粒子製造用バーナ１０（以下、単にバーナ１０と略称する場合がある）について説明する。
なお、以下のバーナ１０の説明においては、上述した第１の実施形態のバーナ１と同じ構成については、同じ符号を付与するとともに、その詳しい説明を省略する。
【００６９】
図３は、本実施形態のバーナ１０を、図示略の火炎の噴出側から中心軸Ｊに沿って見た平面図であり、図４は、図３中に示したＢ−Ｂ断面図である。
図３及び図４に示すように、本実施形態のバーナ１０は、先端１Ａ側が拡径するように開口した有底円錐形状の燃焼室２、原料流体供給管３、第１支燃性ガス供給管４及び第２支燃性ガス供給管５を備え、燃焼室２内に、それぞれ、原料流体噴出孔３１、第１支燃性ガス供給孔４１、第２支燃性ガス供給孔５１として開口している点で、第１の実施形態のバーナ１と同様の構成を有している。
【００７０】
一方、本実施形態のバーナ１０は、図３及び図４に示すように、バーナ１に備えられた上記各構成に加え、さらに、燃焼室２の底部２１における原料流体噴出孔３１の周囲を取り囲むように設けられ、この原料流体噴出孔３１から噴出される原料流体Ｇ１に向けて支燃性ガス（第３支燃性ガスＧ４）を供給するように開口した第３支燃性ガス噴出孔７１と、原料供給管３に接続され、原料流体Ｇ１を燃焼室２に向けて噴霧するための噴霧ガス（ガス）Ｇ５を供給する噴霧ガス供給管８と、を有する点で、第１の実施形態におけるバーナ１とは異なる。
【００７１】
図３及び図４に示すように、第３支燃性ガス噴出孔７１は、原料流体噴出孔３１の周囲を取り囲むように、環状の噴出孔として形成されている。また、この第３支燃性ガス噴出孔７１は、第３支燃性ガス供給管７の開口部として燃焼室の底部２１に開口するものであり、第３支燃性ガス供給管７から供給される第３支燃性ガスＧ４を、中心軸Ｊに沿った方向で噴出するように構成される。
【００７２】
本実施形態のバーナ１０は、上記のような第３支燃性ガス噴出孔７１が備えられることで、原料流体噴出孔３１の近傍において、火炎をより安定的に形成することが可能となり、良好な燃焼状態を得ることができる。
第３支燃性ガスＧ４の種類としては特に限定されず、第１支燃性ガスＧ２や第２支燃性ガスＧ３と同様、酸素又は酸素富化空気の少なくとも何れかを用いれば良いが、火炎を安定化する観点からは酸素を用いることがより好ましい。
【００７３】
噴霧ガス供給管８は、原料供給管３に接続され、図示例においては、原料供給管３における原料流体噴出孔３１近傍に接続されている。また、図示例では、原料供給管３における噴霧ガス供給管８の接続部よりも原料流体噴出孔３１寄りの部分が、他の部分よりも拡径しており、この部分が、原料流体Ｇ１と噴霧ガスＧ５とを混合するための混合室３２として構成されている。
また、噴霧ガスＧ５の種類としても特に限定されないが、上記の各支燃性ガスと同様、酸素又は酸素富化空気の少なくとも何れかを用いれば良い。
【００７４】
本実施形態のバーナ１０は、上記のような噴霧ガス供給管８を設け、原料流体噴出孔３１を２流体噴霧型ノズルとして構成することで、原料流体Ｇ１の供給量を変更する場合においても、噴霧ガスＧ５の作用により、原料流体噴出孔３１からの噴出状態を良好に維持できる。
【００７５】
本実施形態のバーナ１０によれば、上記構成を備えることにより、原料流体Ｇ１中の燃料と、３方向から供給する支燃性ガス（第１支燃性ガスＧ２、第２支燃性ガスＧ３及び第３支燃性ガスＧ４）とによって燃焼室２内に均一な火炎を形成できる。さらに、原料流体噴出孔３１からの原料流体Ｇ１の噴出状態を良好に維持できるので、より安定化を図った火炎の形成が可能になり、原料粒子からサブミクロンオーダーの均一な無機質球状化粒子を効率的に合成できる。
【００７６】
＜作用効果＞
以上説明したように、本実施形態の無機質球状化粒子製造用バーナ１によれば、燃焼室２の側壁２２に、旋回流を形成させながら第１支燃性ガスＧ２を噴出する複数の第１支燃性ガス噴出孔４１と、第１支燃性ガス噴出孔４１よりも先端１Ａ側に、中心軸Ｊに沿った方向で第２支燃性ガスＧ３を噴出する複数の第２支燃性ガス噴出孔５１とを有した構成を採用している。これにより、原料流体Ｇ１中に含まれる燃料と第１支燃性ガスＧ２とが適切に混合されるので、良好な保炎状態を保持することができ、さらに、原料流体Ｇ１中の燃料と２方向から供給する第１支燃性ガスＧ２及び第２支燃性ガスＧ３とによって、燃焼室２内に均一な火炎が形成されるので、原料粒子からサブミクロンオーダーの均一な微粒子を効率的に合成できる。また、原料流体Ｇ１中の燃料、第１支燃性ガスＧ２及の供給量を個別に調整することで、微粒子を合成する燃焼場を均一に制御することができるので、合成される無機質球状化粒子の特性を任意に制御することが可能になる。従って、製造設備の増設やそれに伴うコストアップを招くことなく、サブミクロンオーダーの均一な無機質球状化粒子を製造することが可能になる。
【００７７】
また、本実施形態の無機質球状化粒子の製造方法によれば、上記構成を有した本実施形態のバーナ１を用いて、エマルジョン状の原料流体Ｇ１を燃焼室２に噴出し、原料流体Ｇ１中の可燃性油と第１支燃性ガスＧ２及び第２支燃性ガスＧ３とを燃焼させて火炎を形成して原料流体Ｇ１中の水滴を蒸発させることで微粒子形成を行い、無機質球状化粒子を製造する方法を採用している。これにより、上記同様、良好な保炎状態を保持して、燃焼室２内に均一な火炎を形成し、原料粒子からサブミクロンオーダーの均一な微粒子を効率的に合成できる。また、微粒子を合成する燃焼場を均一に制御できるので、合成される無機質球状化粒子の特性を任意に制御することが可能になる。従って、製造設備の増設等に伴うコストアップを招くことなく、サブミクロンオーダーの均一な無機質球状化粒子を製造することが可能になる。
【００７８】
＜本発明の他の形態＞
以上、本発明の好ましい実施の形態について詳述したが、本発明は上記のような特定の実施の形態に限定されるものではなく、特許請求の範囲内に記載された本発明の要旨の範囲内において、種々の変形・変更が可能である。
【実施例】
【００７９】
以下、実施例により、本発明に係る無機質球状化粒子製造用バーナ及び無機質球状化粒子の製造方法についてさらに詳しく説明するが、本発明はこれらに限定されるものではない。
【００８０】
＜無機質球状化粒子製造用バーナ＞
本実施例においては、図３及び図４に示すような、燃焼室２、原料流体供給管３、第１支燃性ガス供給管４、第２支燃性ガス供給管５、冷却水用管路６，第３支燃性ガス供給管７及び噴霧ガス供給管８を備え、燃焼室２内に、原料流体噴出孔３１、第１支燃性ガス供給孔４１、第２支燃性ガス供給孔５１、第３支燃性ガス供給孔７１が開口した構成のバーナ、即ち、上述した本発明に係る第２の実施形態で説明したバーナ１０を用いて無機質球状化粒子を製造した。
【００８１】
＜無機質球状化粒子の製造条件＞
まず、原料流体Ｇ１として、水相に０．０１Ｍ硝酸アルミニウム水溶液、油相に灯油、分散剤にＳｐａｎ２０（東京化成工業株式会社製：登録商標）とＴｗｅｅｎ８５（同：登録商標）とを５０：５０(質量比)で混合したものを用いた、油中水型エマルジョン（Ｗ／Ｏ型エマルジョン）を調整した。
この際、水相：油相の比を１０：９０（体積比）とし、水相と油相とを混合した液全量に対して１体積％の分散剤を添加した後、ホモジナイザーを用いて、回転数：１００００ｒｐｍ、時間：１０ｍｉｎで撹拌することで原料流体Ｇ１を得た。
また、第１〜第３支燃性ガスＧ２，Ｇ３，Ｇ４及び噴霧ガスＧ５として、酸素ガスを用いた。
【００８２】
また、バーナ１０を用いた燃焼条件としては、原料流体Ｇ１：５Ｌ／ｈ、噴霧ガスＧ５：０．４Ｎｍ３／ｈ、第３支燃性ガスＧ４：０．６Ｎｍ３／ｈとし、第１支燃性ガスＧ２と第２支燃性ガスＧ３の合計流量が９Ｎｍ３／ｈ、且つ、次式｛Ｑ＝（第１支燃性ガスＧ２の流量）／（第１支燃性ガスＧ２の流量＋第２支燃性ガスＧ３の流量）｝で表される流量比Ｑが０．３となるように流量調整を行った。
【００８３】
＜評価項目＞
本実施例においては、図５及び図６中に示した、燃焼室２の側壁２２が中心軸Ｊに対してなす角度α、及び、原料流体噴出孔３１から噴出する原料流体Ｇ１の中心軸Ｊに対する最大噴出角度βを変化させた場合の、製造効率への影響について確認を行った。
このとき、原料流体噴出孔３１から噴出する原料流体Ｇ１の中心軸Ｊに対する最大噴出角度βを２２．５°に固定した場合においても確認を行った。
【００８４】
そして、本実施例においては、上記の各角度α，βを変化させたときの、形成された微粒子の粒子歩留まり（製造効率）について確認、評価した。
【００８５】
＜評価結果＞
下記表１に、各製造条件における製造効率及び保炎状態の結果を示すとともに、図７のグラフに、角度αを変化させ、且つ、最大噴出角度βを一定（β＝２２．５°）とした場合の、角度αと製造効率（％）との関係を示す（図７においてはγ＝０の例で比較）。この際の製造効率（粒子歩留まり）の定義は、次式｛製造効率＝（粉体回収装置を用いて実際に回収した質量）／（原料粒子が全て微粒子化した際の質量）とした。そして、製造効率が最大となる条件から、概ね半分を下回ってしまう条件について、「製造効率が低下する」と定義し、結果を下記表１及び図７のグラフに示した。
【００８６】
【表１】
2019020044.tif 000003
【００８７】
表１及び図７のグラフに示すように、αが次式｛β−１５°≦α≦β＋１５°｝で表される関係を満たす場合、即ち、表１中においてα＝７．５°〜３０°であり、且つ、γが次式｛０≦γ≦ｍｉｎ（α＋５°，９０°−α）｝を満たす場合には、保炎状態が良好であるとともに、製造効率にも優れていることが確認できた。
【産業上の利用可能性】
【００８８】
本発明の無機質球状化粒子製造用バーナ及び無機質球状化粒子の製造方法は、設備の増設等を必要とすることなく、燃焼場を均一に制御でき、サブミクロンオーダーの均一な粒子が製造可能なものなので、火炎中において無機質粉体原料を溶融させ、無機質球状化粒子を製造する用途において非常に好適である。
【符号の説明】
【００８９】
１，１０…無機質球状化粒子製造用バーナ（バーナ）
１Ａ…先端（バーナ）
１Ｂ…後端
２…燃焼室
２１…底部
２２…側壁
３…原料供給管
３１…原料流体噴出孔
３２…混合室
４…第１支燃性ガス供給管
４１…第１支燃性ガス噴出孔
５…第２支燃性ガス供給管
５１…第２支燃性ガス噴出孔
６…冷却水用管路
６ａ，６ｂ…流路
６１…先端（冷却水用管路）
７…第３支燃性ガス供給管
７１…第３支燃性ガス噴出孔
８…噴霧ガス供給管
Ｇ１…原料流体
Ｇ２…第１支燃性ガス
Ｇ３…第２支燃性ガス
Ｇ４…第３支燃性ガス
Ｇ５…噴霧ガス
Ｗ…冷却水
【図１】
2019020044.tif 000004
【図２】
2019020044.tif 000005
【図３】
2019020044.tif 000006
【図４】
2019020044.tif 000007
【図５】
2019020044.tif 000008
【図６】
2019020044.tif 000009
【図７】
2019020044.tif 000010